(57)【要約】      （修正有）【課題】データコードを認識したことなどの各種動作状態を確実に報知するデータコード読取装置を提供する。【解決手段】イメージセンサ３による通常のデータコードの読み取り可能状態として照明部４−１〜４−４を第２の発光色に点灯する。データコード情報読取部によりデータコードを認識したとき、照明部４−１〜４−４による第２の発光色の点灯を停止して第２の発光色とは別の第１の発光色で所定期間点灯し、再び第２の発光色による点灯に戻る。商品検知センサ５−１〜５−４により商品を予め設定された期間検知しなければ、スタンバイモードとして予め設定された第３の発光色で前記照明部４−１〜４−４を点灯する。スタンバイモードの状態で商品検知センサ５−１〜５−４により商品を検知すると、通常のデータコードの読み取り可能状態に戻して第２の発光色に点灯する。異常発生時には、予め設定された第４の発光色で照明部４−１〜４−４を点灯する。【選択図】図１
2011159316.tif 000002
【特許請求の範囲】
【請求項１】
撮像領域内に配置された商品を撮像し、その画像データを出力するイメージセンサと、
このイメージセンサの周囲に設けられ、当該イメージセンサの撮像方向と同一方向の空間領域を照明し、複数の発光色の中から１色の発光色が点灯可能である複数の照明部と、
前記イメージセンサの周囲に設けられ、当該イメージセンサの撮像方向と同一方向の空間領域内に商品が配置されたことを検知する商品検知センサと、
前記イメージセンサの撮像により取得された画像データ中のデータコードを認識し、当該データコードを読み取るデータコード情報読取部と、
前記イメージセンサによる通常の前記データコードの読み取り可能状態として前記照明部を第２の発光色に点灯し、前記データコード情報読取部により前記データコードを認識したとき、前記照明部による前記第２の発光色の点灯を停止して前記第２の発光色とは別の第１の発光色で所定期間点灯し、再び前記第２の発光色による前記照明部の点灯に戻り、かつ前記商品検知センサにより前記商品を予め設定された期間検知しなければ、スタンバイモードとして予め設定された第３の発光色で前記照明部を点灯し、前記スタンバイモードの状態で前記商品検知センサにより前記商品を検知すると前記通常の前記データコードの読み取り可能状態に戻して前記第２の発光色に点灯し、異常発生時に予め設定された第４の発光色で前記照明部を点灯する制御部と、
を具備することを特徴とするデータコード読取装置。
【請求項２】
前記制御部は、前記照明部に対して前記第１の発光色として緑色を点灯し、前記第２の発光色として白色を点灯し、前記第３の発光色として青色を点灯し、前記第４の発光色として赤色を点灯することを特徴とする請求項１記載のデータコード読取装置。
【請求項３】
前記制御部は、前記異常発生時に前記第４の発光色を点滅することを特徴とする請求項２記載のデータコード読取装置。
【請求項４】
前記照明部は、緑色、青色、赤色をそれぞれ発光する３つの発光ダイオードから成ることを特徴とする請求項１記載のデータコード読取装置。
【請求項５】
前記制御部は、水濡れ、電源の異常、エラーを含む前記異常発生時に予め設定された前記第４の発光色で前記照明部を点滅することを特徴とする請求項１記載のデータコード読取装置。
【発明の詳細な説明】
【技術分野】
【０００１】
本発明は、例えば商品に付けられたデータコードを読み取ったことを表示する機能を備えたデータコード読取装置の改良に関する。
【背景技術】
【０００２】
商品に付けられ、この商品のデータを含むデータコード、具体的にはバーコードを読み取るデータコード読取装置がある。この装置は、例えば商品に付けられたデータコードを撮像するイメージセンサと、このイメージセンサの撮像方向と同一方向すなわちデータコードが付けられた商品を含む空間領域を照明する照明用発光ダイオード（以下、照明用ＬＥＤと称する）と、イメージセンサの撮像により取得された画像データ中のデータコードを認識し、このデータコードに含まれる商品データを読み取るデータコード情報読取部と、このデータコード情報読取部によりデータコードを認識したこと等の装置の動作状態を表示する動作状態用ＬＥＤとを備える。
【０００３】
このうち、動作状態用ＬＥＤは、装置本体における照明用ＬＥＤとは異なる部分に設けられている。例えば、照明用ＬＥＤは、イメージセンサの近傍に並んで設けられるが、動作状態用ＬＥＤは、例えば装置本体の背面等に設けられる。この動作状態用ＬＥＤの点灯により例えばデータコードを認識したことなどの動作状態をオペレータに報知する。  
なお、撮影対象を撮影して読取対象物を認識する読取装置としては、例えば特許文献１がある。
【先行技術文献】
【特許文献】
【０００４】
【特許文献１】特開平９−１１４９１３号公報
【発明の概要】
【発明が解決しようとする課題】
【０００５】
しかしながら、照明用ＬＥＤと動作状態用ＬＥＤとが互いに異なる部分に設けられている。このため、商品に付けられたデータコードをイメージセンサにより撮像させる場合、オペレータは、商品に付けられたデータコードの位置が照明用ＬＥＤの照明領域に入っているか否かを確認するために、視点を照明用ＬＥＤ及びこの照明用ＬＥＤの照明領域に向けることになる。  
このため、照明用ＬＥＤと異なる部分に設けられた動作状態用ＬＥＤを目視してデータコードを認識したこと確認するには、オペレータは、照明用ＬＥＤから動作状態用ＬＥＤに視点を移さなければならない。
【０００６】
本発明の目的は、データコードを認識したことなどの各種動作状態を確実に報知できるデータコード読取装置を提供することにある。
【課題を解決するための手段】
【０００７】
本発明の主要な局面に係るデータコード読取装置は、撮像領域内に配置された商品を撮像し、その画像データを出力するイメージセンサと、このイメージセンサの周囲に設けられ、当該イメージセンサの撮像方向と同一方向の空間領域を照明し、複数の発光色の中から１色の発光色が点灯可能である複数の照明部と、イメージセンサの周囲に設けられ、当該イメージセンサの撮像方向と同一方向の空間領域内に商品が配置されたことを検知する商品検知センサと、イメージセンサの撮像により取得された画像データ中のデータコードを認識し、当該データコードを読み取るデータコード情報読取部と、イメージセンサによる通常のデータコードの読み取り可能状態として照明部を第２の発光色に点灯し、データコード情報読取部によりデータコードを認識したとき、照明部による第２の発光色の点灯を停止して第２の発光色とは別の第１の発光色で所定期間点灯し、再び第２の発光色による照明部の点灯に戻り、かつ商品検知センサにより商品を予め設定された期間検知しなければ、スタンバイモードとして予め設定された第３の発光色で照明部を点灯し、スタンバイモードの状態で商品検知センサにより商品を検知すると通常のデータコードの読み取り可能状態に戻して第２の発光色に点灯し、異常発生時に予め設定された第４の発光色で照明部を点灯する制御部とを具備する。
【発明の効果】
【０００８】
本発明によれば、通常のデータコードの読み取り可能状態と、データコードを認識したときと、商品検知センサにより商品を予め設定された期間検知しないとしたスタンバイモードの状態と、スタンバイモードの状態で商品を検知して通常のデータコードの読み取り可能状態に戻ったときと、異常発生時などの各種動作状態を確実に報知できるデータコード読取装置を提供できる。
【図面の簡単な説明】
【０００９】
【図１】本発明に係るデータコード読取装置の一実施の形態を示す外観図。
【図２】同装置におけるブロック構成図。
【図３】同装置における照明用ＬＥＤの構成図。
【図４】同装置におけるＬＥＤ駆動部に対して並列接続された各ＬＥＤを示す図。
【図５】同装置における状態表示フローチャート。
【図６】同装置における各照明用ＬＥＤの状態遷移図。
【図７】同装置における異常発生時の状態表示フローチャート。
【発明を実施するための形態】
【００１０】
以下、本発明の一実施の形態について図面を参照して説明する。  
図１はＣＣＤスキャナであるデータコード読取装置の外観図を示す。装置本体１の正面２には、ＣＣＤカメラ等のイメージセンサ３が設けられている。このイメージセンサ３の周囲には、照明部としての例えば４つの照明用ＬＥＤ４−１〜４−４が設けられている。又、これら照明用ＬＥＤ４−１〜４−４とイメージセンサ３との間には、例えば４つの商品検知センサ５−１〜５−４が設けられている。装置本体１の内部には、制御部６が設けられている。又、装置本体１の側面には、電源スイッチ７が設けられている。
【００１１】
図２はデータコード読取装置のブロック構成図を示す。制御部６は、主制御部１０を有する。この主制御部１０は、ＣＰＵ、ＲＡＭ、ＲＯＭ等から成る。この主制御部１０には、イメージセンサ３と、各商品検知センサ５−１〜５−４と、電源スイッチ７とが接続されている。又、主制御部１０には、データコード情報読取部１１と、ＬＥＤ駆動部１２と、伝送部１３と、記憶部１４とが接続されている。  
イメージセンサ３は、商品１５に付けられたデータコード１６、具体的にはバーコードを撮像し、その画像データを出力する。バーコード１６は、例えば商品の価格、日付、割引価格等の商品データを含む。
【００１２】
各照明用ＬＥＤ４−１〜４−４は、それぞれイメージセンサ３の撮像方向と同一方向の空間領域を照明する。例えばイメージセンサ３の撮像領域内にデータコード１６が付けられた商品１５が配置されると、この商品１５及びデータコード１６を含む空間領域を照明する。これら照明用ＬＥＤ４−１〜４−４は、それぞれ複数の発光色、例えば緑色、青色、赤色及び白色の４色の発光色で発光することが可能である。図３は各照明用ＬＥＤ４−１〜４−４の構成図を示す。これら照明用ＬＥＤ４−１〜４−４は、それぞれ例えば３色のＬＥＤ素子１７〜１９を備える。例えばＬＥＤ素子１７は、緑色を発光する（以下、緑色ＬＥＤ素子１７と称する）。ＬＥＤ素子１８は、青色を発光する（以下、青色ＬＥＤ素子１８と称する）。ＬＥＤ素子１９は、赤色を発光する（以下、赤色ＬＥＤ素子１９と称する）。
【００１３】
各商品検知センサ５−１〜５−４は、それぞれ例えばイメージセンサ３の撮像方向と同一方向の空間領域内にデータコード１６が付けられた商品１５が配置されたか否かを検知する。  
電源スイッチ７は、制御部６に電源２０からの電力の供給、遮断を行う。この電源スイッチ７は、例えば主制御部１０からの指令を受けて開閉する。
【００１４】
データコード情報読取部１１は、イメージセンサ３の撮像により取得された画像データ中のデータコード１６を認識し、この認識したデータコード１６に含まれる商品データを読み取る。
【００１５】
ＬＥＤ駆動部１２には、４つの照明用ＬＥＤ４−１〜４−４が接続されている。このＬＥＤ駆動部１２は、例えば主制御部１０により指示された発光色に従って緑色ＬＥＤ素子１７、青色ＬＥＤ素子１８又は赤色ＬＥＤ素子１９を点灯する。これら緑色ＬＥＤ素子１７と青色ＬＥＤ素子１８と赤色ＬＥＤ素子１９とは、図４に示すように例えばＬＥＤ駆動部１２に対して並列接続されている。ＬＥＤ駆動部１２は、緑色ＬＥＤ素子１７のみに通電を行うことにより緑色ＬＥＤ素子１７のみを発光させ、各照明用ＬＥＤ４−１〜４−４を緑色（第１の発光色）に発光する。同様に、ＬＥＤ駆動部１２は、青色ＬＥＤ素子１８のみに通電を行うことにより青色ＬＥＤ素子１８のみを発光させ、各照明用ＬＥＤ４−１〜４−４を青色（第３の発光色）に発光する。ＬＥＤ駆動部１２は、赤色ＬＥＤ素子１９のみに通電を行うことにより赤色ＬＥＤ素子１９のみを発光させ、各照明用ＬＥＤ４−１〜４−４を赤色（第４の発光色）に発光する。又、ＬＥＤ駆動部１２は、緑色ＬＥＤ素子１７と青色ＬＥＤ素子１８と赤色ＬＥＤ素子１９との全てに通電を行うことにより緑色ＬＥＤ素子１７と青色ＬＥＤ素子１８と赤色ＬＥＤ素子１９との全てを発光し、各照明用ＬＥＤ４−１〜４−４を白色（第２の発光色）に発光する。
【００１６】
伝送部１３には、例えばＰＯＳシステム２１を構成する電子キャッシュレジスタが接続されている。この電子キャッシュレジスタは、例えばスーパマーケットやコンビニエンスストア、百貨店等の小売店には、現金やクレジットカードを用いて商取引を行う。  
記憶部１４には、例えばイメージセンサ３の撮像により取得された画像データ等を記憶する。
【００１７】
主制御部１０のＲＯＭには、予め状態表示プログラムが格納されている。この状態表示読取プログラムは、通常のイメージセンサ３の撮影動作状態に白色で各照明用ＬＥＤ４−１〜４−４を点灯させ、この状態でデータコード１６を認識すると、各照明用ＬＥＤ４−１〜４−４による白色の点灯を停止させ、各照明用ＬＥＤ４−１〜４−４を緑色で所定期間点灯させ、再び白色による各照明用ＬＥＤ４−１〜４−４の点灯に戻し、かつ各商品検知センサ５−１〜５−４により商品１５を予め設定された期間検知しなければ、予め設定された青色で各照明用ＬＥＤ４−１〜４−４を点灯させ、異常発生時に予め設定された赤色で各照明用ＬＥＤ４−１〜４−４を点灯させる。
【００１８】
主制御部１０は、ＲＯＭに予め格納されている状態表示プログラムを実行し、データコード１６の認識を含む各種動作状態に応じて各照明用ＬＥＤ４−１〜４−４を緑色、白色、青色又は赤色の各発光色の中から１色の発光色で点灯する。すなわち、主制御部１０は、データコード情報読取部１１によりデータコード１６を認識したときに予め設定された緑色で各照明用ＬＥＤ４−１〜４−４を点灯する。主制御部１０は、通常のイメージセンサ３の撮影動作状態に、予め設定された白色で各照明用ＬＥＤ４−１〜４−４を点灯する。主制御部１０は、データコード１６を認識したとき、各照明用ＬＥＤ４−１〜４−４による白色の点灯を停止し、緑色の点灯を所定期間例えば１ｓ間行う。主制御部１０は、各商品検知センサ５−１〜５−４により商品１５を予め設定された期間例えば５分間検知しなければ、予め設定された青色で各照明用ＬＥＤ４−１〜４−４を点灯する。さらに各商品検知センサ５−１〜５−４により商品１５を予め設定された期間例えば１５分間検知しなければ、主制御部１０は、電源スイッチ７を遮断する。主制御部１０は、例えば水濡れ、電源の異常、エラー等の異常発生時、予め設定された赤色で各照明用ＬＥＤ４−１〜４−４を例えば周波数２．５Ｈで１００ｍｓ間点滅する。
【００１９】
次に、上記の如く構成された装置の動作について図５に示す状態表示フローチャートに従って説明する。  
電源スイッチ７が遮断されていると、各照明用ＬＥＤ４−１〜４−４は、図６の各照明用ＬＥＤ４−１〜４−４の状態遷移図に示すように全て消灯している。主制御部１０は、ステップ＃１において、電源スイッチ７が投入されたか否かを判断し、オペレータによって電源スイッチ７が投入されると、ステップ＃２に移ってＬＥＤ駆動部１２に対して白色で各照明用ＬＥＤ４−１〜４−４を点灯させる指令を発する。この指令を受けてＬＥＤ駆動部１２は、全ての緑色ＬＥＤ素子１７と青色ＬＥＤ素子１８と赤色ＬＥＤ素子１９とのに対して通電を行い、全ての緑色ＬＥＤ素子１７と青色ＬＥＤ素子１８と赤色ＬＥＤ素子１９とを点灯する。このとき、ＬＥＤ駆動部１２は、図６に示すように例えば周波数３０Ｈｚで１０ｍｓ間全ての緑色ＬＥＤ素子１７と青色ＬＥＤ素子１８と赤色ＬＥＤ素子１９とのを点灯する。これにより、全ての緑色ＬＥＤ素子１７と青色ＬＥＤ素子１８と赤色ＬＥＤ素子１９とが点灯するので、これら緑色と青色と赤色とが混合して各照明用ＬＥＤ４−１〜４−４は、それぞれ白色を発光する。このように各照明用ＬＥＤ４−１〜４−４が白色を発光するので、オペレータは、データコード読取装置が通常のデータコードの読取可能状態にあることを知ることができる。
【００２０】
次に、主制御部１０は、ステップ＃３において、各商品検知センサ５−１〜５−４により商品１５を検知したか否かを監視し、図６に示すように例えば電源投入から５分間商品１５を検知したか否かを監視する。例えば５分間以内に各商品検知センサ５−１〜５−４により商品１５を検知すると、主制御部１０は、ステップ＃４に移り、商品に付いているデータコード１６を認識したか否かを判断する。すなわち、オペレータは、商品１５を把持してイメージセンサ３の撮像領域に配置する。このとき、オペレータは、商品１５に付けられているデータコード１６をイメージセンサ３に向けて配置すると共に、イメージセンサ３のフォーカス位置にデータコード１６が配置されるように商品１６をイメージセンサ３に対して近付けたり遠ざけたりする。
【００２１】
イメージセンサ３は、例えばオペレータによって把持されている商品１６に付けられたデータコード１６を撮像し、その動画の画像データを出力する。主制御部１０は、イメージセンサ３から出力される動画の画像データを受け取り、データコード１６に対してフォーカスの合ったときの画像データを取り込み、この画像データをデータコード情報読取部１１に送る。このデータコード情報読取部１１は、イメージセンサ３の撮像により取得された画像データ中からデータコード１６を認識し、この認識したデータコード１６に含まれる商品データを読み取る。なお、主制御部１０は、データコード１６を認識するまで、ステップ＃２〜＃４を繰り返す。
【００２２】
次に、データコード情報読取部１１によってデータコード１６が認識されると、このとき、主制御部１０は、ステップ＃５において、ＬＥＤ駆動部１２に対して緑色で各照明用ＬＥＤ４−１〜４−４を点灯させる指令を発する。この指令を受けてＬＥＤ駆動部１２は、緑色ＬＥＤ素子１７のみに通電を行い、緑色ＬＥＤ素子１７のみを点灯する。このとき、ＬＥＤ駆動部１２は、図６に示すように例えば１ｓ間緑色ＬＥＤ素子１７のみを点灯する。これにより、各照明用ＬＥＤ４−１〜４−４は、それぞれ緑色を発光する。このように各照明用ＬＥＤ４−１〜４−４が緑色を発光するので、商品１５やこの商品１５に付けられているデータコード１６、さらには商品１５の周辺が緑色に照明される。これにより、オペレータは、商品１５に付けられているデータコード１６がデータコード読取装置によって認識されたことを知ることができる。
【００２３】
次に、主制御部１０は、ステップ＃６において、緑色ＬＥＤ素子１７の点灯が例えば１ｓ経過したか否かを判断し、１ｓ経過すると、ＬＥＤ駆動部１２に対して緑色の点灯を停止させる指令を発し、再び、ステップ＃２に戻ってＬＥＤ駆動部１２に対して白色で各照明用ＬＥＤ４−１〜４−４を点灯させる指令を発する。これにより、各照明用ＬＥＤ４−１〜４−４は、再び、それぞれ白色を発光する。
【００２４】
これ以降、オペレータによって複数の商品１５が順次イメージセンサ３の撮像領域に配置されると、主制御部１０は、ステップ＃２〜＃６を繰り返し、データコード情報読取部１１によって各商品１５のデータコード１６の認識時毎に、例えば１ｓ間緑色ＬＥＤ素子１７のみを点灯する。これにより、各照明用ＬＥＤ４−１〜４−４は、それぞれ緑色を発光する。オペレータは、各照明用ＬＥＤ４−１〜４−４が緑色に発光する毎に各商品１５のデータコード１６がデータコード読取装置によって認識されたことを知ることができる。
【００２５】
主制御部１０は、上記ステップ＃３において、各商品検知センサ５−１〜５−４により商品１５を検知したか否かを監視する。すなわち、主制御部１０は、例えば電源投入から５分間経過しても商品１５に付けられているデータコード１６がデータコード読取装置によって認識されていない状態にあること、又は商品１５に付けられているデータコード１６がデータコード読取装置によって認識されてから５分間経過しても次の商品１５に付けられているデータコード１６がデータコード読取装置によって認識されていない状態にあるか否かを監視する。
【００２６】
この監視の結果、商品１５に付けられているデータコード１６がデータコード読取装置によって認識されていない状態が５分間続くと、主制御部１０は、図６に示すスタンバイモードに移行するとしてステップ＃３からステップ＃７に移り、ＬＥＤ駆動部１２に対して青色で各照明用ＬＥＤ４−１〜４−４を点灯させる指令を発する。この指令を受けてＬＥＤ駆動部１２は、青色ＬＥＤ素子１８のみに通電を行い、青色ＬＥＤ素子１８のみを点灯する。このとき、ＬＥＤ駆動部１２は、例えば連続して青色ＬＥＤ素子１８のみを点灯する。これにより、各照明用ＬＥＤ４−１〜４−４は、それぞれ青色を発光する。このように各照明用ＬＥＤ４−１〜４−４が青色を発光するので、オペレータは、データコード読取装置がスタンバイモードにあることを知ることができる。
【００２７】
次に、主制御部１０は、ステップ＃８において、一定期間、例えば青色ＬＥＤ素子１８のみを点灯してスタンバイモードになったときから１５分間、各商品検知センサ５−１〜５−４により商品１５を検知したか否かを判断する。この判断の結果、１５分間以内に各商品検知センサ５−１〜５−４により商品１５が検知されると、主制御部１０は、ステップ＃２に戻り、各照明用ＬＥＤ４−１〜４−４をそれぞれ白色で発光させる。これにより、オペレータは、データコード読取装置が通常のデータコードの読取可能状態にあることを知ることができる。  
これに対して１５分間以内に各商品検知センサ５−１〜５−４により商品１５が検知されなければ、主制御部１０は、ステップ＃９に移り、電源スイッチ７を遮断する。これにより、各照明用ＬＥＤ４−１〜４−４は、全て消灯する。
【００２８】
一方、データコード読取装置に例えば水濡れ、電源の異常、エラー等の異常発生が発生したときの状態表示の動作について図７に示す異常発生時の状態表示フローチャートに従って説明する。  
主制御部１０は、ステップ＃１０において、電源スイッチ７が投入されている状態で、通常のイメージセンサ３の撮影動作状態及びスタンバイモードにあるときに各種の異常、例えば水濡れ、電源の異常、エラー等の異常が発生したか否かを監視する。これら異常が発生しなければ、主制御部１０は、ステップ＃１０、＃１１を繰り返す。
【００２９】
例えば水濡れ、電源の異常、エラー等の異常が発生すると、主制御部１０は、ステップ＃１１からステップ＃１２に移り、ＬＥＤ駆動部１２に対して赤色で各照明用ＬＥＤ４−１〜４−４を点灯させる指令を発する。この指令を受けてＬＥＤ駆動部１２は、赤色ＬＥＤ素子１９のみに通電を行い、赤色ＬＥＤ素子１９のみを点灯する。このとき、ＬＥＤ駆動部１２は、例えば図６に示すように周波数２．５Ｈｚで１００ｍｓ間赤色ＬＥＤ素子１９のみを点滅する。これにより、各照明用ＬＥＤ４−１〜４−４は、それぞれ赤色を点滅する。このように各照明用ＬＥＤ４−１〜４−４が赤色を発光するので、オペレータは、例えば水濡れ、電源の異常、エラー等の異常が発生したことを知ることができる。
【００３０】
このように上記一実施の形態によれば、データコード情報読取部１１によりデータコード１６を認識したとき、各照明用ＬＥＤ４−１〜４−４による白色の点灯を停止し、緑色の点灯を所定期間例えば１ｓ間行う。これにより、商品１５やこの商品１５に付けられているデータコード１６、さらには商品１５の周辺が緑色に照明されるので、オペレータは、商品１５に付けられているデータコード１６がデータコード読取装置によって認識されたことを知ることができる。このとき、オペレータは、従来のように視点を各照明用ＬＥＤ４−１〜４−４から動作状態用ＬＥＤに移す必要もなくデータコード１６がデータコード読取装置によって認識されたことを確実に知ることができる。これにより、商品１５に付けられているデータコード１６の読取作業の効率を向上できる。
【００３１】
又、データコード読取装置の各種動作状態に応じて各照明用ＬＥＤ４−１〜４−４を予め設定された発光色で点灯して各種動作状態を報知できる。例えば、各照明用ＬＥＤ４−１〜４−４を白色で発光することによりデータコード読取装置が通常のデータコードの読取可能状態にあることを報知できる。各照明用ＬＥＤ４−１〜４−４を青色で発光することによりデータコード読取装置がスタンバイモードにあることを報知できる。各照明用ＬＥＤ４−１〜４−４を赤色で発光することにより例えば水濡れ、電源の異常、エラー等の異常が発生したことを報知できる。これら通常のデータコードの読取可能状態、データコード読取装置がスタンバイモード、又は異常の発生をオペレータは、視点を移すことなく各照明用ＬＥＤ４−１〜４−４の発光色で確実に知ることができる。
【００３２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
上記一実施の形態では、白色、緑色、赤色の各発光色を用いて通常のデータコードの読取可能状態、スタンバイモード、異常発生の各状態を報知しているが、これら発光色に限らず、他の発光色を用いてもよい。例えば、緑色ＬＥＤ素子１７と青色ＬＥＤ素子１８とを発光させた色、緑色ＬＥＤ素子１７と赤色ＬＥＤ素子１９とを発光させた色、又は青色ＬＥＤ素子１８と赤色ＬＥＤ素子１９とを発光させた色を用いてもよい。
【符号の説明】
【００３３】
１：装置本体、２：装置本体の正面、３：イメージセンサ（ＣＣＤカメラ）、４−１〜４−４：照明用ＬＥＤ、５−１〜５−４：商品検知センサ、６：制御部、７：電源スイッチ、１０：主制御部、１１：データコード情報読取部、１２：ＬＥＤ駆動部、１３：伝送部、１４：記憶部、１５：商品、１６：データコード、１７：緑色ＬＥＤ素子、１８：青色ＬＥＤ素子、１９：赤色ＬＥＤ素子、２０：電源、２１：ＰＯＳシステム。
【図１】
2011159316.tif 000003
【図２】
2011159316.tif 000004
【図３】
2011159316.tif 000005
【図４】
2011159316.tif 000006
【図５】
2011159316.tif 000007
【図６】
2011159316.tif 000008
【図７】
2011159316.tif 000009